(57)【要約】【課題】チェーン本体の両端間を短時間に引き寄せることを可能にするチェーン接続治具を得ることを目的とする。【解決手段】それぞれ、アーム作用部４ａ,４ｂ及びアーム動作部５ａ,５ｂを中間部から逆側に延設して構成され、該アーム作用部４ａ,４ｂを該中間部の一側に位置させて、かつ該中間部を重ねて互いに交差するように配置され、重ねられた該中間部を貫通する軸ピン１４に軸周りに回動自在に取り付けられた一対のアーム部３Ａ，３Ｂと、アーム作用部４ａ，４ｂのそれぞれの先端側に軸ピン１４から等距離の部位に、同方向に突出するようにアーム作用部４ａ，４ｂに固定された柱状の一対の係合部１１ａを有するチェーン係合部材１０Ａと、を備えている。【選択図】図１
2008200830.tif 000002
【特許請求の範囲】
【請求項１】
それぞれ、アーム作用部及びアーム動作部を中間部から逆側に延設して構成され、該アーム作用部を該中間部の一側に位置させて、かつ該中間部を重ねて互いに交差するように配置され、重ねられた該中間部を貫通する軸ピンに軸周りに回動自在に取り付けられた一対のアーム部と、
上記アーム作用部のそれぞれの先端側で上記軸ピンから等距離の部位に同方向に突出するように固定された柱状の一対の係合部を有するチェーン係合部材と、
を備えていることを特徴とするチェーン接続治具。
【請求項２】
上記チェーン係合部材は、上記アーム作用部に着脱自在に螺着されていることを特徴とする請求項１記載のチェーン接続治具。
【請求項３】
上記チェーン係合部材は、上記アーム作用部に固定された取付架台を有し、上記係合部は軸方向を上記アーム作用部の長さ方向に合わせて上記アーム作用部から突出するように、上記取付架台に固定されていることを特徴とする請求項１記載のチェーン接続治具。
【発明の詳細な説明】
【技術分野】
【０００１】
この発明は、エスカレータの手摺り駆動チェーンなどの両端にチェーン継ぎ手を取り付けるのに好適なチェーン接続治具に関する。
【背景技術】
【０００２】
従来のチェーン取付治具は、チェーンに引っ掛ける一対の係合部材と、この係合部材を支持する治具本体とからなり、この治具本体の一端面に係合部材の一方が螺着され、治具本体の他端面に係合部材の他方が螺着されている。そして、治具本体を一方向に回転させると一対の係合部材が近接し、かつ、治具本体を他方向に回転させると一対の係合部材が離れるようになっている（例えば、特許文献１参照）。
【０００３】
ここで、チェーンの両端間を接続して無端状にするには、チェーンの両端を引き寄せて、チェーン継ぎ手をチェーンの両端間に取り付ける作業が生じる。
そして、従来のチェーン取付治具を用いたチェーンの両端間の接続は以下のように行われていた。すなわち、まず、係合部材を押さえながら治具本体を他方向に回転させて係合部材間を離反させる。次いで、一対の係合部材のそれぞれをチェーンの両端のそれぞれに係合させ、治具本体を一方向に回転させることにより、チェーンの両端を引き寄せる。さらに、引き寄せられたチェーンの両端間にチェーン継ぎ手を取り付けることにより、チェーンの両端間が接続されていた。
【０００４】
【特許文献１】特開２０００−４２９３９号公報
【発明の開示】
【発明が解決しようとする課題】
【０００５】
しかしながら、従来のチェーン取付治具を用いてチェーンの両端間を接続する場合、治具本体を両方向に回転させる動作が必要であり、短時間にチェーンの両端を引き寄せることができないので、チェーンの接続作業の作業効率が悪かった。
【０００６】
この発明は上記の問題を解決するためになされたものであり、チェーン本体の両端間を短時間に引き寄せることを可能にするチェーン接続治具を得ることを目的とする。
【課題を解決するための手段】
【０００７】
この発明によるチェーン接続治具は、それぞれ、アーム作用部及びアーム動作部を中間部から逆側に延設して構成され、アーム作用部を該中間部の一側に位置させて、かつ中間部を重ねて互いに交差するように配置され、重ねられた中間部を貫通する軸ピンに軸周りに回動自在に取り付けられた一対のアーム部と、アーム作用部のそれぞれの先端側に軸ピンから等距離の部位に、同方向に突出するようにアーム作用部に固定された柱状の一対の係合部を有するチェーン係合部材と、を備えている。
【発明の効果】
【０００８】
この発明によれば、チェーン本体の両端間を短時間に引き寄せることが可能であるので、チェーン本体の接続作業の作業効率を向上させることができる。
【発明を実施するための最良の形態】
【０００９】
以下、この発明を実施するための最良の形態について、図面を参照して説明する。
実施の形態１．
図１はこの発明の実施の形態１に係るチェーン接続治具を示す斜視図、図２はこの発明の実施の形態１に係るチェーン接続治具を示す分解斜視図、図３はこの発明の実施の形態１に係るチェーン接続治具により接続されるチェーン本体を示す斜視図、図４はこの発明の実施の形態１に係るチェーン接続治具を用いたチェーン本体接続前のチェーン本体の両端周辺及びチェーン接続治具を示す斜視図、図５はこの発明の実施の形態１に係るチェーン接続治具の係合部がチェーン本体の両端のブッシュ孔に挿入された状態を示す斜視図である。
【００１０】
図１及び図２においてチェーン接続治具１Ａは、一対のアーム部３Ａ，３Ｂ、連結回動軸部１３、チェーン係合部材１０Ａを有している。
一対のアーム部３Ａ，３Ｂのそれぞれは、略同じ形状で同じサイズの細長の板状に形成されている。また、アーム部３Ａ，３Ｂそれぞれの中間部には、ピン挿通孔３ａが形成されている。さらに、アーム部３Ａ，３Ｂの一端側のそれぞれには、中間部（ピン挿通孔３ａ）から等距離の位置にネジ孔３ｂがそれぞれ形成されている。
ここで、アーム部３Ａ，３Ｂのそれぞれの一端から中間部までの部位をそれぞれアーム作用部４ａ，４ｂ、アーム部３Ａ，３Ｂのそれぞれの他端から中間部までの部位をそれぞれアーム動作部５ａ，５ｂとする。
【００１１】
このとき、アーム部３Ａ，３Ｂのそれぞれは、アーム作用部４ａ，４ｂ及びアーム動作部５ａ，５ｂを中間部から逆側に延設して構成されている。さらに、アーム部３Ａ，３Ｂは、アーム作用部４ａ,４ｂを該中間部の一側に配置させて、かつ中間部を重ねて互いに交差するように配置されている。そして、後述するようにアーム部３Ａ，３Ｂは、重ねられた中間部を貫通する軸ピン１４の軸周りに回動自在となっている。
また、アーム動作部５ａ，５ｂの端部から中間部近傍までがラバーで覆われて、把持部６ａ，６ｂが構成されている。
【００１２】
チェーン係合部材１０Ａは、所定の直径を有する円柱状の係合部１１ａ、及び係合部１１ａから係合部１１ａと同軸に突出されたネジ部１１ｂとからなる係合ピン１１で構成されている。そして、ネジ部１１ｂは、係合部１１ａがアーム作用部４ａ，４ｂの主面から垂直、かつ、同じ方向に突出するように、アーム作用部４ａ，４ｂのネジ孔３ｂに螺着可能となっている。即ち、チェーン係合部材１０Ａは、アーム作用部４ａ，４ｂの先端部に対して着脱自在となっている。
【００１３】
連結回動軸部１３は、図２に示されるように、先端部のみにネジ山１４ａを有する軸ピン１４と、ナット１５により構成されている。そして、軸ピン１４は、アーム部３Ａ，３Ｂのピン挿通孔３ａに遊嵌状態に挿通されて、軸ピン１４の一端側がナット１５に螺合されている。また、軸ピン１４の他端側は頭頂部１４ｂを有しており、前述したように、一対のアーム部３Ａ，３Ｂは、ナット１５と頭頂部１４ｂとの間に配置され、軸ピン１４の軸周りに回動自在に軸ピン１４に取り付けられている。即ち、一対の把持部６ａ，６ｂの間の距離を離反させれば、係合ピン１１の軸心間の距離が離反し、把持部６ａ，６ｂの間の距離を近接させれば、係合ピン１１の軸心間の距離が近接するようになっている。
【００１４】
なお、周知のテコの原理を応用して、アーム動作部５ａ，５ｂをアーム作用部４ａ，４ｂより長くすれば、アーム作用部４ａ，４ｂとアーム動作部５ａ，５ｂ長さの比に応じて把持部６ａ，６ｂに加える力より大きな力をアーム作用部４ａ，４ｂの先端側に印加させることも可能である。
【００１５】
次いで、チェーン２０の構成について説明する。チェーン２０は、例えば、エスカレータ（図示せず）の手摺り駆動チェーンなどである。
図３において、チェーン２０はチェーン本体２１、及びチェーン継ぎ手３０を有している。
さらに、チェーン本体２１は内リンク機構２２及び外リンク機構２６を有している。
【００１６】
内リンク機構２２は、平行に配置された一対の内プレート２３、及び内プレート２３を連結する２本のブッシュ２４を有している。ブッシュ２４は、ブッシュ孔２４ａを有する円筒状に形成されている。また、２本のブッシュ２４のそれぞれは、その軸方向を内プレート２３の主面に垂直にあわせ、軸心間を所定距離だけ離間させて内プレート２３を連結している。また、ブッシュ２４は内プレート２３に形成されたブッシュ孔２４ａの口径に対応する孔に挿入されて、ブッシュ孔２４ａの開口は内プレート２３の対向面と反対側の面に露出されている。
また、各ブッシュ２４における一対の内プレート２３間の部位は、環状のローラ２５がブッシュ２４と同軸に回転自在に外嵌されている。
【００１７】
外リンク機構２６は、内プレート２３と同じ形状で同じサイズの一対の外プレート２７、一方の外プレート２７に固定され、該外プレート２７から垂直に突出する２本の連結ピン２８を有している。連結ピン２８の軸心間の距離は、内プレート２３を連結する一対のブッシュ２４の軸心間の距離に一致している。
【００１８】
そして、２本の連結ピン２８がブッシュ孔２４ａに挿通されて、ブッシュ孔２４ａから突出された連結ピン２８の先端には、他方の外プレート２７が挿入されている。そして、連結ピン２８が他方の外プレート２７にカシメ固定されている。これにより、２つの内リンク機構２２が外リンク機構２６によって連結される。
このように、複数の内リンク機構２２が外リンク機構２６により連結されて、チェーン本体２１が所望の長さに製造されている。このとき、チェーン本体２１の両端に配置されたブッシュ孔２４ａには、連結ピン２８は挿入されていない。
【００１９】
また、チェーン継ぎ手３０は、外プレート２７と同じサイズで同じ形状の継ぎ手プレート３２ａと、継ぎ手プレート３２ａの一面から垂直に突出し、連結ピン２８より長い２本の継ぎ手ピン３３とで構成される継ぎ手リンク３１、継ぎ手プレート３２ａと同じサイズで同じ形状の継ぎ手プレート３２ｂ、及び係止部材としての割りピン３４を有している。
このとき、２本の継ぎ手ピン３３は、それぞれの軸心間の距離はＡが、前述の内プレート２３を連結するブッシュ２４の軸心間の距離に一致するように配置されている。
【００２０】
また、継ぎ手ピン３３は、チェーン本体２１の末端のそれぞれに配置されたブッシュ孔２４ａに挿入され、さらに、ブッシュ孔２４ａから突出された継ぎ手ピン３３の先端が、継ぎ手プレート３２ｂに挿入される。そして、チェーン本体２１は、継ぎ手プレート３２ｂから突出された継ぎ手ピン３３の先端間を割りピン３４で係着することにより環状に接続されるようになっている。
【００２１】
次いで、チェーン接続治具１Ａを用いてチェーン本体２１を引き寄せ、チェーン本体２１を接続する方法を、図４及び図５を参照しつつ説明する。
【００２２】
チェーン本体２１の両端の接続例としては、チェーン本体２１が離間したスプロケット（図示せず）のそれぞれに巻きかけられた後にチェーン本体２１の両端を接続するものが挙げられる。他の接続例としては、もともとスプロケットに巻きかけられて環状に接続されていたチェーン本体２１の一部を交換するために切り離したチェーン本体２１の両端間をチェーン継ぎ手３０で接続したりするものが挙げられる。いずれにしろ、チェーン本体２１の両端に配置された内リンク機構２２を引き寄せ、チェーン継ぎ手３０をチェーン本体２１の両端の内リンク機構２２に取り付ける作業が生じる。
【００２３】
チェーン本体２１の両端をチェーン継ぎ手３０で接続可能なまでに近接させると、チェーン本体２１には、チェーン本体２１の両端が離反する方向に大きな張力が働く。
チェーン接続治具１Ａは、この張力に抗して簡単にチェーン本体２１の両端を引き寄せるためのものである。
【００２４】
まず、図４に示されるように、一対の把持部６ａ，６ｂの間の距離を離反させて両係合部１１ａの軸心間の距離をＡ以上に離反させる。そして、図５に示されるように、アーム作用部４ａの係合部１１ａを、チェーン本体２１の一方の端部に配置されたブッシュ孔２４ａの一方の開口からブッシュ２４内に挿入する。さらに、アーム作用部４ｂの係合部１１ａを、チェーン本体２１の他方の端部に配置されたブッシュ孔２４ａの一方の開口からブッシュ２４内に挿入する。
このとき、両係合部１１ａの各ブッシュ２４内への挿入量は、ブッシュ２４の長さの半分程度としている。
【００２５】
そして、この状態から、一対の把持部６ａ，６ｂの間の距離が近接するように一対の把持部６ａ，６ｂに把持力を加え、チェーン本体２１に働く張力に抗して両ブッシュ２４の軸心間の距離を接近させる。そして、ブッシュ２４の軸心間の距離を、継ぎ手ピン３３の軸心間の距離をＡにあわせる。
この状態で、一対の継ぎ手ピン３３のそれぞれを、ブッシュ孔２４ａの他方の開口からブッシュ２４内に挿入し、ブッシュ２４の一方の開口から挿入された係合部１１ａに当接するまで挿入する。
【００２６】
そして、チェーン接続治具１Ａを継ぎ手リンク３１から離反させて、係合部１１ａをブッシュ孔２４ａから抜き取った後、継ぎ手ピン３３の先端がブッシュ孔２４ａの他方の開口から突出するように継ぎ手ピン３３を押し込む。
そして、継ぎ手ピン３３の先端に図３に示した継ぎ手プレート３２ｂを挿入して、該先端を継ぎ手プレート３２ｂから突出させ、さらに図３に示した割りピン３４を、両継ぎ手ピン３３の先端間に係着することにより、チェーン本体２１の両端の接続が完了する。
【００２７】
この実施の形態１によれば、一対のアーム作用部４ａ，４ｂの先端に螺着させた係合部１１ａが、一対のアーム動作部５ａ，５ｂの把持部６ａ，６ｂを接離させるのに連動して接離される。従って、チェーン本体２１の両端が離れて、チェーン本体２１の両端に大きな張力がかからない状態で係合部１１ａをブッシュ孔２４ａに挿入させることができる。その後、把持部６ａ，６ｂの間を近接させるように把持部６ａ，６ｂに把持力を加えるだけで、チェーン本体２１の両端を簡単に引き寄せることができる。
従って、チェーン本体２１の両端間を短時間で引き寄せることができるので、チェーン本体２１の両端間の接続作業の作業性を著しく向上させることができる。
【００２８】
また、係合部１１ａをブッシュ孔２４ａに挿入した後は、片手でチェーン本体２１の両端を引き寄せることができ、一方の手で、チェーン本体２１の両端を引き寄せつつ、他方の手で継ぎ手リンク３１を、ブッシュ孔２４ａに挿入することができる。
従って、チェーン本体２１の両端の引き寄せ作業、及び継ぎ手リンク３１の取り付け作業を並行して行えるので、チェーン本体２１の両端間の接続作業の作業性を一層向上させることができる。
【００２９】
また、チェーン係合部材１０Ａは、アーム作用部４ａ，４ｂに対して着脱自在となっているので、両端間を接続するチェーン２０におけるブッシュ２４のブッシュ孔２４ａの直径に適合した直径を有する係合部１１ａに簡単に取り替えることができる。
【００３０】
なお、この実施の形態１では、一対の係合部１１ａは、それぞれの軸方向をアーム作用部４ａ，４ｂの主面に垂直な方向に向けて配設するものとして説明したが、係合部１１ａの軸方向は、アーム作用部４ａ,４ｂの主面に対して垂直な方向に向けるものに限定されず、一対の係合部１１ａは、一対のアーム作用部４ａ,４ｂの先端部からそれぞれ同方向に突出するように上記アーム作用部４ａ，４ｂに設けられていればよい。
【００３１】
実施の形態２．
図６はこの発明の実施の形態２に係るチェーン接続治具の係合部材の斜視図である。
図６において、チェーン接続治具１Ｂのチェーン係合部材１０Ｂは、係合ピン１１、取付架台３６、及びネジ３７を有している。
【００３２】
取付架台３６は、前面及び底面が開口した中空の直方体状に形成され、一対の側板３６ａ，３６ｂ、側板３６ａ，３６ｂの一方の短辺間を覆う上板３６ｃ、前面の開口と対向し、側板３６ａ，３６ｂの一方の長辺間を覆う底板３６ｄを有している。
そして、係合ピン１１の係合部１１ａが、上板３６ｃの外壁から垂直に突出するように、ネジ部１１ｂが上板３６ｃに締着固定されている。
【００３３】
また、底板３６ｄには、挿通孔３６ｅが形成されている。そして、底板３６ｄは、挿通孔３６ｅ及びネジ孔３ｂを貫通するネジ３７により、アーム作用部４ａ（４ｂ）の先端に締着固定されている。
このとき、取付架台３６は、アーム作用部４ａ（４ｂ）の先端を覆うように配置されている。即ち、側板３６ａ，３６ｂのそれぞれが、アーム作用部４ａ（４ｂ）の先端側の両側端面のそれぞれに沿って略隙間なしに隣接し、アーム作用部４ａ（４ｂ）の長さ方向に対して垂直に配置された上板３６ｃが、アーム作用部４ａ（４ｂ）の上端を塞いでいる。
【００３４】
これにより、係合部１１ａの軸方向が、アーム作用部４ａ（４ｂ）の長さ方向に合わせられる。また、側板３６ａ，３６ｂがアーム作用部４ａ，４ｂの側端面に沿って隙間なく設けられたので、取付架台３６が、ネジ３７の軸周りに回転することが防止される。
【００３５】
また、チェーン接続治具１Ｂを用いてチェーン本体を引き寄せ、チェーン本体を接続する方法は、実施の形態１と同様に説明される。
【００３６】
この実施の形態２によれば、取付架台３６を用いたことにより、実施の形態１では、アーム作用部４ａ（４ｂ）の主面に垂直な方向に向けられていた係合部１１ａの軸方向を、アーム作用部４ａ（４ｂ）の長さ方向に変更することが可能となる。従って、実施の形態１に加え、アーム部３Ａ（３Ｂ）が邪魔になって、前述のブッシュ孔に、アーム作用部４ａ（４ｂ）の主面から垂直に突出された係合部１１ａを挿入できない場合でも、係合部１１ａがアーム部３Ａ（３Ｂ）の長さ方向に延設されるようにしたので、ブッシュ孔の軸方向に十分なスペースがあれば、チェーン本体の両端の内リンク機構を簡単に引き寄せてチェーン本体の両端を接続することができる。
【００３７】
なお、この実施の形態２では、側板３６ａ，３６ｂを設けるものとして説明したが、取付架台３６が、強固にアーム作用部４ａ（４ｂ）に固定されていて、ネジ３７の軸周りに回転されなければ、側板３６ａ，３６ｂは特に設ける必要なない。
【００３８】
また、各実施の形態では、係合部１１ａを円柱状に形成するものとして説明したが、係合部１１ａは円柱状のものに限定されるものではなく、四角柱などの柱状に形成されていてもよい。
【図面の簡単な説明】
【００３９】
【図１】この発明の実施の形態１に係るチェーン接続治具を示す斜視図である。
【図２】この発明の実施の形態１に係るチェーン接続治具を示す分解斜視図である。
【図３】この発明の実施の形態１に係るチェーン接続治具により接続されるチェーン本体を示す斜視図である。
【図４】この発明の実施の形態１に係るチェーン接続治具を用いたチェーン本体接続前のチェーン本体の両端周辺及びチェーン接続治具を示す斜視図である。
【図５】この発明の実施の形態１に係るチェーン接続治具の係合部がチェーン本体の両端のブッシュ孔に挿入された状態を示す斜視図である。
【図６】この発明の実施の形態２に係るチェーン接続治具の係合部材の斜視図である。
【符号の説明】
【００４０】
１Ａ，１Ｂ  チェーン接続治具、３Ａ，３Ｂ  アーム部、４ａ，４ｂ  アーム作用部、５ａ，５ｂ  アーム動作部、１０Ａ，１０Ｂ  チェーン係合部材、１１ａ  係合部、１４  軸ピン、３６  取付架台。
【図１】
2008200830.tif 000003
【図２】
2008200830.tif 000004
【図３】
2008200830.tif 000005
【図４】
2008200830.tif 000006
【図５】
2008200830.tif 000007
【図６】
2008200830.tif 000008